(57)【要約】【課題】屋内外に気圧差がある場合にでもドアパネルを強制的に開放操作できる、開放支援機構を内蔵したドア錠を提供する。【解決手段】ドア錠は、ラッチ９と、ラッチ９を進出付勢する第１ばね２６と、ラッチ９をケース７内へ退入操作するラッチレバー３０と、ドアハンドル１０とを備えている。ケース７内に、ドアパネル１を強制的に開放操作する開放支援機構が設けられている。開放支援機構は、ラッチ９で往復スライド自在に案内支持されるアシスト体４３と、アシスト体４３を退入付勢する第２ばね４４と、アシスト体４３を進出操作するアシストレバー４５とを含む。アシストレバー４５はラッチレバー３０と連動する。以て、ラッチ９がラッチレバー３０で解錠方向へ退入操作されるとき、アシスト体４３をアシストレバー４５で進出操作してストライカー４に当て、その接触反力によってドアパネル１を屋外側へ向かって強制的に開放操作する。【選択図】図１
2005299299.tif 000002
【特許請求の範囲】
【請求項１】
ドアパネル１に装着したケース７の内部に、ラッチ９と、ラッチ９を進出付勢する第１ばね２６と、ラッチ９を第１ばね２６の付勢力に抗して退入操作するラッチレバー３０と、ラッチレバー３０をケース外から回動操作する操作具１０とを備えているドア錠であって、
ケース７内に、ラッチ７の退入動作に連動してケース外へ進出移動し、ドア枠２に接してドアパネル１を強制的に開放操作するアシスト体４３を含む開放支援機構が設けられていることを特徴とするドア錠。
【請求項２】
開放支援機構が、往復スライド自在に案内支持されるアシスト体４３と、アシスト体４３を退入付勢する第２ばね４４と、アシスト体４３を第２ばね４４の付勢力に抗して進出操作するアシストレバー４５とを含み、
アシストレバー４５は、ラッチレバー３０で操作されて、ラッチレバー３０とは逆向きに揺動しながらアシスト体４３を進出操作でき、
ラッチ９がラッチレバー３０で解錠方向へ退入操作されるとき、アシスト体４３をアシストレバー４５で進出操作してストライカー４に当て、ドアパネル１を強制的に開放操作できるようにしてある請求項１記載のドア錠。
【請求項３】
ストライカー４に、アシスト体４３の突端を受け止めてドア開放方向の分力を生じさせるカム片４１が一体に設けてある請求項２記載の開放支援機構を備えたドア錠。
【請求項４】
ラッチ９がストライカー４の受穴４０から離脱したのち、アシスト体４３がストライカー４に接してドアパネル１２を開放操作できるよう、ラッチレバー３０とアシストレバー４５との連動タイミングが設定されている請求項２または３記載のドア錠。
【請求項５】
アシスト体４３を往復スライド自在に案内支持するガイド溝２１が、ラッチ９の係合端から他端へ向かって形成されており、
アシスト体４３がラッチ９の外郭線内に収まる状態でガイド溝２１に装填されて、ラッチ９の係合端からケース外へ進出移動できる請求項２記載のドア錠。
【請求項６】
ラッチレバー３０が、ラッチ９を退入操作する第１操作アーム３５と、アシストレバー４５を回動操作する第２操作アーム３６とを備えており、
アシストレバー４５が、アシスト体４３を進出操作する第１操作片５２と、第２操作アーム３６で逆向きに回動操作される第２操作片５３とを備えており、
ラッチレバー３０とアシストレバー４５とは、互いに隣接する状態でラッチ９の一側に配置されており、
ラッチレバー３０の第１操作アーム３５と、アシストレバー４５の第１操作片５２とが、ガイド溝２１に臨んで切り欠き形成した操作凹部２３に収容されて、それぞれラッチ９の受動面２７、およびアシスト体４３の受動面４９に接する請求項２記載のドア錠。
【請求項７】
ラッチレバー３０は、第３ばね３１で待機姿勢へ向かって回動付勢されて、操作具１０の操作力を開放することで待機位置へ自己復帰でき、
アシストレバー４５は、退入した状態のアシスト体４３に第１操作片５２が接する待機位置と、アシスト体４３をケース外に突出操作する作動位置と、ラッチレバー３０が待機位置へ自己復帰するとき、待機位置を越えて第２操作アーム３６の復帰ストロークの外へ退避揺動する退避位置とに回動変位でき、
アシストレバー４５は、第２ばね４４よりもばね力の小さな第４ばね４６で、退避位置から待機位置へ復帰付勢されており、
アシストレバー４５が作動位置に位置する状態において、第２操作アーム３６が第２操作片５３を乗り越えて、限界回動位置まで回動することにより、アシストレバー４５およびアシスト体４３が待機位置へ復帰移動でき、
ラッチレバー３０が待機位置へ復帰するとき、第２操作アーム３６が第２操作片５３を待機位置から退避位置へ回動操作しながら復帰回動することにより、第２操作アーム３６と第２操作片５３との係合状態が解除されて、アシストレバー４５が退避位置から待機位置へ自己復帰できる請求項２記載のドア錠。
【発明の詳細な説明】
【技術分野】
【０００１】
本発明は、縦軸まわりに揺動開閉されるドアに適用されるドア錠に関する。本発明のドア錠は、ドアハンドルの解錠操作に連動してドアを強制的に開放操作するための開放支援機構が組み込まれたものである。
【背景技術】
【０００２】
建物の気密化が進むのに伴い、例えば低圧の室内と高圧の屋外との気圧差によって、ドアを外向きに開放しにくくなる現象が問題になっている。とくに、高層の集合住宅においてはドアが強風に晒されることもあって、ドア開放に大きな操作力を要することがある。低層の住宅であっても換気扇を連続して稼動するような場合に、屋内の気圧が下がると同様の現象を生じる。
【０００３】
こうした問題に対処するために、ドアに開放支援機構を設けることは、例えば特許文献１に公知である。そこでは、ドアの側端面に屋内外方向へ揺動する支援レバーを配置し、支援レバーの先端をドア枠に押し当てることにより、ドアを強制的に開放操作できるようにしている。詳しくは、ドアのパネル面に対して押し引きできるアシストハンドルを設け、アシストハンドルの押し引き動作を回転動作に変換したうえで、先の支援レバーを揺動操作している。特許文献２にも同様の開放支援機構が開示されているが、引き違い窓を適用対象とする点が異なる。
【０００４】
【特許文献１】特開２０００−２９１３２９号公報（段落番号００２１、図１）
【特許文献２】特開平８−１３５３０１号公報（段落番号００１４、図４）
【発明の開示】
【発明が解決しようとする課題】
【０００５】
特許文献１の開放支援機構は、アシストハンドルによって揺動操作される支援レバーでドアを強制的に開放できる。しかし、玄関ドアに開放支援機構を設ける場合には、開放支援機構とは別にドア錠を設ける必要がある。さらに、ドア錠のラッチを解錠操作するためのノブやハンドルをアシストハンドルとは別に設ける必要があるので、ドアの全体構造が複雑になりその分コスト高になる。ドアを開放操作する毎にアシストハンドルを待機位置へ戻す必要があり、その操作が煩わしい。
【０００６】
本発明の目的は、ドア錠の解錠操作を利用して開放支援機構を切り換え操作でき、したがってドアの全体構造を簡素化して全体コストを削減化でき、ドアを簡便に開放操作できるドア錠を提供することにある。本発明の目的は、既存のドアに適用できるのはもちろんのこと、既存のドア錠と換装して開放支援機能をドアに付加でき、既存のドア錠と同様にドアに対する取り付けが簡便に行え、汎用性と施工性とに優れたドア錠を提供することにある。
【課題を解決するための手段】
【０００７】
本発明は、ドアパネル１に装着したケース７の内部に、ラッチ９と、ラッチ９を進出付勢する第１ばね２６と、ラッチ９を第１ばね２６の付勢力に抗して退入操作するラッチレバー３０と、ラッチレバー３０をケース外から回動操作する操作具１０とを備えているドア錠において、ケース７内に、ラッチ７の退入動作に連動してケース外へ進出移動し、ドア枠２と接当してドアパネル１を強制的に開放操作するアシスト体４３を含む開放支援機構が設けられていることを特徴とする。
【０００８】
この開放支援機構は、往復スライド自在に案内支持されるアシスト体４３と、アシスト体４３を退入付勢する第２ばね４４と、アシスト体４３を第２ばね４４の付勢力に抗して進出操作するアシストレバー４５とを含む。アシストレバー４５は、ラッチレバー３０で操作されて、ラッチレバー３０とは逆向きに揺動しながらアシスト体４３を進出操作できる。以て、ラッチ９がラッチレバー３０で解錠方向へ退入操作されるとき、アシスト体４３をアシストレバー４５で進出操作してストライカー４に当て、ドアパネル１を強制的に開放操作できるようにしてある。
【０００９】
ストライカー４には、アシスト体４３の突端を受け止めてドア開放方向の分力を生じさせるカム片４１が一体に設けられている。
【００１０】
ラッチ９がストライカー４の受穴４０から離脱したのち、アシスト体４３がストライカー４に接してドアパネル１２を開放操作できるよう、ラッチレバー３０とアシストレバー４５との連動タイミングが設定されている。
【００１１】
アシスト体４３を往復スライド自在に案内支持するガイド溝２１が、ラッチ９の係合端から他端へ向かって形成されており、アシスト体４３はラッチ９の外郭線内に収まる状態でガイド溝２１に装填されて、ラッチ９の係合端からケース外へ進出移動できる。
【００１２】
ラッチレバー３０は、ラッチ９を退入操作する第１操作アーム３５と、アシストレバー４５を回動操作する第２操作アーム３６とを備えている。そのアシストレバー４５は、アシスト体４３を進出操作する第１操作片５２と、第２操作アーム３６で逆向きに回動操作される第２操作片５３とを備えている。これらラッチレバー３０とアシストレバー４５とは、互いに隣接する状態でラッチ９の一側に配置されており、ラッチレバー３０の第１操作アーム３５と、アシストレバー４５の第１操作片５２とが、ガイド溝２１に臨んで切り欠き形成した操作凹部２３に収容されて、それぞれラッチ９の受動面２７、およびアシスト体４３の受動面４９に接するようになっている。
【００１３】
ラッチレバー３０は、第３ばね３１で待機姿勢へ向かって回動付勢して、操作具１０の操作力を開放することで待機位置へ自己復帰できるようにし、アシストレバー４５は、退入した状態のアシスト体４３に第１操作片５２が接する待機位置と、アシスト体４３をケース外に突出操作する作動位置と、ラッチレバー３０が待機位置へ自己復帰するとき、待機位置を越えて第２操作アーム３６の復帰ストロークの外へ退避揺動する退避位置とに回動変位できる。アシストレバー４５は、第２ばね４４よりもばね力の小さな第４ばね４６で退避位置から待機位置へ復帰付勢する。アシストレバー４５が作動位置に位置する状態において、第２操作アーム３６が第２操作片５３を乗り越えて、限界回動位置まで回動することにより、アシストレバー４５およびアシスト体４３は待機位置へ復帰移動できる。ラッチレバー３０が待機位置へ復帰するとき、第２操作アーム３６が第２操作片５３を待機位置から退避位置へ回動操作しながら復帰回動することにより、第２操作アーム３６と第２操作片５３との係合状態が解除されて、アシストレバー４５が退避位置から待機位置へ自己復帰できるようになっている。
【発明の効果】
【００１４】
本発明では、ラッチ９と、第１ばね２６と、ラッチ９を操作するラッチレバー３０および操作具１０とを備えたドア錠において、そのケース７内に、ドアパネル１を強制的に開放操作するアシスト体４３を含む開放支援機構を設けて、ラッチ７の退入動作に連動してアシスト体４３をケース外へ進出操作し、アシスト体４３の突端をドア枠２と当てることにより、ドアパネル１を強制的に開放操作するので、室内外に気圧差がある場合でもドアパネル１を確実に開放操作できる。
【００１５】
開放支援機構がドア錠のケース７内に組み込まれているので、ドアパネル１にドア錠を組み込むだけで開放支援機能を備えたドア構造とすることができ、ドア錠とは別に開放支援機構を設ける必要があった従来のドア構造に比べて、ドアの全体構造を簡素化して全体コストを削減化できる。ドア錠と開放支援機構との組み込みに必要なスペースも小さくできる。
【００１６】
開放支援機構が、往復スライドできるアシスト体４３と、アシスト体４３を退入付勢する第２ばね４４と、アシスト体４３を進出操作するアシストレバー４５とを含み、ラッチ９をラッチレバー３０で解錠方向へ退入操作するとき、ラッチレバー３０に連動するアシストレバー４５でアシスト体４３をケース７の外方へ進出させるので、ラッチ９を解錠操作するだけでアシスト体４３をストライカー４に接当させて、ドアパネル１を強制的に開放操作できる。したがって、単に操作具１０を解錠操作するだけの簡単な操作でドアパネル１を確実に開放でき、２次操作の必要がない分だけドアの開放操作を簡便化できる。ドア錠と開放支援機構とを個別に設ける必要があった従来装置に比べて、ドアパネル１の開放動作に無駄がない。
【００１７】
ストライカー４にカム片４１を設け、アシスト体４３の突端をカム片４１で受け止めることによりドア開放方向の分力を生じさせるようにすると、アシスト体４３を進出スライド操作するだけでドアパネル１を開放方向へ押し出すことができるので、アシスト体４３の動作が単純化し、その分だけ開放支援機構の構造を簡素化し、ドア錠の信頼性を向上できる。アシスト体４３を受け止めるための金具を別途設ける必要がないので、ストライカー４を含むドア錠の全体構造を簡素化できる。
【００１８】
ラッチ９がストライカー４の受穴４０から離脱した後に、アシスト体４３をストライカー４に当ててドアパネル１２を開放操作するドア錠によれば、アシスト体４３が進出し始めてからストライカー４に当たるまでの時間的な余裕を確保できるので、ラッチ９とラッチレバー３０との間のがたつきによってラッチ９の退入タイミングが遅れるような場合でも、アシスト体４３とラッチ９とが動作緩衝するのを確実に防止できる。室内外の気圧差がない場合には、アシスト体４３を進出操作する必要もなくドアパネル１を軽快に開放できる利点もある。
【００１９】
ラッチ９にガイド溝２１を形成し、ラッチ９の外郭線内に収まる状態でアシスト体４３をガイド溝２１に装填する開放支援機構によれば、ケース７内においてラッチ９が占める空間を利用してアシスト体４３を配置できるので、開放支援機構を内蔵するドア錠を小形にコンパクト化できる。したがって、開放支援機構が内蔵されたドア錠を既存のドアパネル１に適用できるのはもちろんのこと、本発明のドア錠を既存のドア錠と換装して開放支援機能をドアに付加できる。既存のドア錠と同様にドアに対する取り付けを簡便に行えるので、開放支援機能を備えているにもかかわらずドア錠の汎用性と施工性とが向上する。
【００２０】
ラッチレバー３０とアシストレバー４５とをラッチ９の一側に隣接配置し、両者３０・４５の第１操作アーム３５および第１操作片５２を操作凹部２３に収容して、それぞれラッチ９の受動面２７、およびアシスト体４３の受動面４９と接するようにしたドア錠によれば、ラッチ９およびラッチレバー３０と開放支援機構とを１箇所に集約配置して、ドア錠をさらにコンパクト化できる。
【００２１】
第２操作アーム３６が第２操作片５３を乗り越えて限界回動位置まで回動することにより、アシストレバー４５およびアシスト体４３を待機位置へ復帰移動させると、アシスト体４３でドアパネル１を開放操作したのち、アシスト体４３がストライカー４の受穴４０に引っ掛かるのを避けて、ドアパネル１を円滑に解放操作できる。操作具１０を操作してアシスト体４３を待機位置へ戻す手間を省くことができる。また、ラッチレバー３０の待機回動動作に連動して、アシストレバー４５を退避位置から待機位置へ自己復帰できるようにすると、アシストレバー４５をリセットする必要も省くことができるうえ、従来のドア錠と同様に操作具１０を操作するだけで、ラッチ９の解錠動作と開放支援機構の切り換え動作操作とを含む一連の動作を完了できる。
【発明を実施するための最良の形態】
【００２２】
（実施例）  図１ないし図６は本発明に係る開放支援機構を備えたドア錠の実施例を示す。図２および図３において、符号１はドアパネル、２はドア枠、３はドアパッキンである。ドアパネル１の側端面に本発明のドア錠が嵌め込み装着されている。ドア錠の側端面と対向するドア枠２にはストライカー４が締結固定されている。ドアパネル１は図示していない側端の側が蝶番で支持されて、縦軸まわりに揺動開閉できる。
【００２３】
図４においてドア錠は、角箱状のケース７と、ケース７の内部上下に配置したデッドボルト８およびラッチ９と、これら両者を切り換え操作する操作機構と、ラッチ９の退入動作に連動してドアパネル１を強制的に開放操作する開放支援機構とを含む。
【００２４】
ドアパネル１の内外には、操作機構を介してラッチ９を解錠操作するドアハンドル（操作具）１０や、サムターンつまみ、およびシリンダー錠などの周知の錠部品を設けることになるが、後二者は図示していない。ケース７の側端には締結座７ａを形成してあり、その上下中途部にデッドボルト８およびラッチ９の出退口が開口している。図３において、ケース７の開口面はケース蓋１１で塞いであり、このケース蓋１１とケース７とで、デッドボルト８およびラッチ９と、後述するアシスト体４３の左右方向の遊動を規制している。
【００２５】
図４においてデッドボルト８は、ダイキャスト成形された角軸状の金属ブロックからなり、その中途部に形成したスライド溝１３をケース７に固定した前後一対のガイドピン１４で支持することにより、ケース７に対して前後方向にスライド自在に案内支持される。ケース７の後端上方に配置した切換レバー１５でデッドボルト８を前後方向に移動操作することにより、デッドボルト８の端部が前記出退口から出没してストライカー４と係脱する。
【００２６】
切換レバー１５は、そのボス部分が内外に貫通するサムターン軸１６（図２参照）を介してサムターンつまみ、およびシリンダー錠と連結されており、ドアパネル１の内外から施錠したり、あるいは解錠操作できる。符号１７は切換レバー１５の動作を受け継ぐ係合凹部、１８は切換レバー１５にクリック感を生じさせるクリック板である。
【００２７】
ラッチ９はプラスチック成形品からなる角軸状のラッチ本体９ａと、部分円弧状に丸められた係合端に固定されるステンレス製の補強板９ｂとを含む。ラッチ本体９ａには、その係合端から他端側へ向かってガイド溝２１を形成してあり、ガイド溝２１の溝底に逃げ溝２２が開口しており、ガイド溝２１に臨む下側の溝周壁に操作凹部２３が切り欠き形成され、ラッチ本体９ａの後端には部分円弧状の逃げ切欠２４が操作凹部２３に連続して形成されている。
【００２８】
図２においてラッチ９は、ケース７に固定した３個のガイドピン２５で前後方向にスライド自在に案内支持されており、ケース７の後壁とラッチ９の後端との間に配置した第１ばね２６で前方に向けて進出付勢されている。この第１ばね２６は圧縮コイル形のばねからなる。逃げ切欠２４の上側に隣接するガイド溝２１の後側面が、ラッチレバー３０の第１操作アーム３５で解錠操作される受動面２７となる。
【００２９】
ケース７内には、これの内部に組み込んだラッチ９の後ろ寄り下方にラッチ９を第１ばね２６の付勢力に抗して後方に退入操作するためのラッチレバー３０が配置され、これの下方にラッチレバー３０を待機位置へ復帰するよう回動操作するための第３ばね３１と、第３ばね３１の弾性力を伝える復帰ピース３２とが配置されている。復帰ピース３２は、ケース７に組み込んだ区分壁３３とケース下壁とで前後スライドのみ自在に案内支持する。
【００３０】
ラッチレバー３０は、ラッチ９を退入操作する第１操作アーム３５と、後述するアシストレバー４５を回動操作する第２操作アーム３６と、復帰ピース３２を受け止めるばね受アーム３７とを一体に備えたダイキャスト成形品からなり、そのボス部分を内外に貫通するハンドル軸３８（図２および図３参照）を介して、ドアハンドル１０に連動可能に連結されている。ラッチレバー３０は、ボス部分の両側端に設けた軸部分がケース７とケース蓋１１とで回動可能に支持してあり、ラッチ９の下面側をガイドするガイドピン２５によって解錠方向の回動限界が規定されており、さらにばね受アーム３７を受け止めるピン３４（図２参照）によって逆方向への回動限界が規定されている。
【００３１】
図１においてストライカー４は、ステンレス板材を素材とする縦に長い長方形状のプレス成形品からなり、その板面にデッドボルト８およびラッチ９と係合する受穴４０を形成してあり、受穴４０の屋内側の周縁下半部にカム片４１が一体に折り曲げ形成されている。カム片４１は斜めに傾斜しており、後述するアシスト体４３がカム片４１に当たると、アシスト体４３に屋外へ向かう分力を生じさせる。この分力でドアパネル１を強制的に開放操作できる。
【００３２】
本発明では、上記構成のドア錠に開放支援機構を組み込む。その開放支援機構は、ラッチ９に設けたガイド溝２１に往復スライド自在に案内支持されるアシスト体４３と、アシスト体４３を後方に退入付勢する第２ばね４４と、アシスト体４３を第２ばね４４の付勢力に抗して前方に進出操作するアシストレバー４５と、アシストレバー４５を復帰姿勢に揺動付勢する第４ばね４６とを含む。これらの機構はラッチレバー３０の解錠方向の回動動作を利用して切り換え操作される。
【００３３】
アシスト体４３は、前後に長いダイキャスト製の金属ブロックからなり、その前部にストライカー４のカム片４１と接当する突爪４８を有し、長手方向中途部に設けた段部が、アシストレバー４５の第１操作片５２で操作される受動面４９になっている。ガイド溝２１の溝底と対向するアシスト体４３のスライド面には、第４ばね４６、およびケース７に形成したばね受座５０を収容する凹部５１が凹み形成されている（図３参照）。
【００３４】
アシストレバー４５は、アシスト体４３を進出操作する第１操作片５２と、第２操作アーム３６で逆向きに回動操作される第２操作片５３とを備えたプレス金具からなり、ケース７に固定のピン５４で回動自在に軸支する。符号５５は第４ばね４６用の掛止ピンである。
【００３５】
図２においてラッチレバー３０とアシストレバー４５とは、ラッチ９の下方に隣接して配置されており、それぞれの第１操作アーム３５と第１操作片５２とが、操作凹部２３を介してガイド溝２１内に入り込み、対応する受動面２７・４９に接している。第４ばね４６はねじりコイルばねからなり、そのばね力は第２ばね４４のばね力に比べて充分に小さく設定してある。第４ばね４６はアシストレバー４５を退避位置から待機位置へ復帰付勢させるよう働くが、そのことは後述する。
【００３６】
次に、ドア錠の施錠動作および解錠動作と、ラッチ９に連動した開放支援機構の動作とを説明する。ドア錠を施錠してある状態では、図２に示すように、デッドボルト８がストライカー４の受穴４０と係合して、ドアパネル１の開放揺動を規制する。この状態から室内側のサムターンつまみ、あるいは室外側のシリンダー錠を操作すると、デッドボルト８がケース７内へ退入し、ドア錠を解錠状態に保持できる。
【００３７】
上記のようにデッドボルト８を解錠操作したのち、水平状態のドアハンドル１０を床面側へ傾動操作することにより、ラッチレバー３０が復帰ピース３２と第３ばね３１とに抗しながら図２において時計回転方向へ回動し、その第１操作アーム３５が受動面２７を押して、ラッチ９の全体を第１ばね２６に抗して退入操作する。これにより、ラッチ９の係合端がストライカー４の受穴４０から抜け出し、さらにケース端の出退口まで退入する。この状態になって初めて、ラッチレバー３０の第２操作アーム３６の先端がアシストレバー４５の第２操作片５３に接して、両レバー３０・４５が連動可能な状態になる。
【００３８】
引き続きドアハンドル１０を傾動操作すると、図５に示すようにラッチレバー３０の第１操作アーム３５はラッチ９側の逃げ切欠２４に沿って回動し、同時に第２操作アーム３６がアシストレバー４５の第２操作片５３を逆向きに回動操作する。これにより、アシスト体４３はアシストレバー４５の第１操作片５２で前方に向けて進出操作される。つまり、ラッチ９が完全に解錠退入操作された状態で、アシスト体４３を進出操作する。このとき、ラッチ９は逃げ切欠２４が第１操作アーム３５で受け止められているので、ケース外へ進出移動することはなく、退入姿勢を維持する。第４ばね４６のばね腕は、掛止ピン５５で受け止められている（図５参照）。
【００３９】
ストライカー４へ向かって進出移動するアシスト体４３は、図１の破線で示すように、突爪４８がカム片４１の折り曲げ基端に接することにより、接触部分に進出力と同じ大きさで反対の向きの反力Ｒを受ける。この反力Ｒの分力のうち、屋外向きの反力Ｒ１がアシスト体４３に作用する結果、ドアパネル１は強制的に開放方向へ操作される。しかも、ドアパネル１の揺動先端に屋外向きの反力Ｒ１が作用するので、ドアパネル１には大きな開放モーメントが作用し、室内と室外とで気圧差があるような場合でも、ドアパネル１を確実にしかも容易に開放操作できる。このようにして、ドアパネル１とドアパッキン３との間に僅かでも隙間ができると、室内外の気圧差が速やかに解消されるので、以後はさらに軽快にドアパネル１を開放できる。
【００４０】
最終的にアシスト体４３は図１の実線で示す位置まで進出することになるが、その状態のままでドアパネル１をさらに開放操作すると、アシスト体４３の突爪４８がストライカー４の受穴４０に引っ掛かってしまう。このような突爪４８の接触緩衝を防ぐために、突爪４８が限界位置まで進出し終わるのと同時にアシスト体４３は迅速に復帰退入できる。
【００４１】
詳しくは、図５に示すように、ラッチレバー３０が限界位置の直前まで回動した時点で、第２操作アーム３６が第２操作片５３の先端を乗り越えることにより、両者の係合が解除されるようにしてある。その結果、アシスト体４３は第２ばね４４で元の待機位置までスライド復帰操作され、アシストレバー４５もアシスト体４３で時計回転方向へ回動操作される。したがって、突爪４８が受穴４０に引っ掛かることはない。アシストレバー４５は、第４ばね４６で受け止められて待機位置に保持される。
【００４２】
ラッチレバー３０が限界位置まで回動すると、図６に示すようにその第１操作アーム３５がガイドピン２５で受け止められるので、それ以上にはドアハンドル１０を傾動操作できない。この状態で操作力を解除すると、ラッチレバー３０は第３ばね３１のばね力によって復帰ピース３２で押され、図６において反時計回転方向へ回動する。その結果、第１操作アーム３５と逃げ切欠２４との係合が解除されるので、ラッチ９は第１ばね２６のばね力によって待機位置へ復帰スライドする。
【００４３】
このとき、アシストレバー４５の第２操作片５３は、ラッチレバー３０の第２操作アーム３６の復帰回動軌跡内に突出している。そのため、ラッチレバー３０が待機位置へ復帰回動する間に、アシストレバー４５は強制的に時計回転方向へ回動操作されて第４ばね４６のばね腕を弾性変形させながら、第２操作片５３が第２操作アーム３６の先端回動軌跡の外に退避位置まで回動する。以後は、第２操作アーム３６が第２操作片５３の先端を乗り越えるので、アシストレバー４５は第４ばね４６のばね力によって先の退避位置から待機位置へと復帰回動されて待機位置に保持される。つまり、第４ばね４６はアシストレバー４５を退避位置から待機位置へと復帰回動するためにのみ設けられている。
【００４４】
以上のように、本発明のドア錠によれば、ケース７内に開放支援機構を組み込み、ドアハンドル１０によるラッチ９の解錠動作を利用して、開放支援機構のアシスト体４３をストライカー４に当て、ドアパネル１を強制的に開放するので、ドア錠とは別に設ける必要があった従来の開放支援機構に比べて、ドアの全体構造を簡便化してそのコストを削減化できる。従来のドア錠と同様のドア開放操作を行うだけの簡単な操作で、開放支援機構を切り換えることができる。ケース７内におけるラッチ９の占有スペースを利用して、その外郭線内にアシスト体４３を収容するので、開放支援機構を備えたドア錠でありながら、コンパクト化を図れ、ドア錠を換装する際に、ドアパネル１に形成した装着穴をそのまま利用してドア錠を装着できる。
【００４５】
図７はストライカー４に関する本発明の別実施例を示す。そこでは、ストライカー本体４ａと、ストライカー本体４ａの内面に固定される断面コ字状のケース４ｂと、ケース４ｂ内に装着固定したカム片４１とでストライカー４を構成した点が、先の実施例とは異なる。ストライカー本体４ａおよびケース４ｂは、それぞれステンレス板材を素材とするプレス成形品とし、カム片４１はプラスチック成形品とした。
【００４６】
アシスト体４３によってドアパネル１を強制的に開放操作したのち、風圧を受けたドアパネル１が押し戻されて閉じてしまうことがある。こうした、使用者の意図に反したドア閉じ動作を阻止するために、ラッチ９を利用してドアパネル１を開放状態に保持することができる。図８に示すように、ラッチ９が限界位置まで進出した状態において、その係合端寄りの角軸部がストライカー４の屋外側の側縁４ａで受け止められるようにして、風圧を受けたドアパネル１が閉じ移動するのを阻止できるようにする。
【００４７】
上記の実施例以外に、アシスト体４３はラッチ９の外郭線内に配置するのが好ましいが、必要があればアシスト体４３の一部のみをガイド溝２１でスライド自在に案内支持することができる。復帰ピース３２を省略して、ラッチレバー３０を第３ばね３１で直接回動付勢することができる。第３ばね３１はねじりコイルばねで形成してもよい。ラッチ９がストライカー４の受穴４０から離脱する動作に連動して、アシスト体４３を進出させてドアパネル１２を開放操作できるように、両者３０・４５の連動タイミングを設定することができる。
【００４８】
本発明の開放支援機構は、デッドボルト８が省いてあるラッチ９付きのドア錠にも適用できる。操作具１０はレバー構造のハンドルや、ノブで構成してあってもよい。必要に応じて、操作具はプッシュプルハンドルにしてもよく、その場合には、プッシュプルハンドルの押し引き動作をラッチレバー３０と同様の回動動作に変換して、ラッチ９を解錠操作し、同時にアシスト体４３を進出操作することができる。
【図面の簡単な説明】
【００４９】
【図１】ドア錠の横断平面図である。
【図２】ドア錠の縦断側面図である。
【図３】ラッチとストライカーの錠止構造を示す横断平面図である。
【図４】ドア錠の分解斜視図である。
【図５】アシスト体のドア開放動作を示す縦断側面図である。
【図６】アシストレバーのリセット動作を示す縦断側面図である。
【図７】ストライカーの別実施例を示す横断平面図である。
【図８】ラッチの別実施例を示す横断平面図である。
【符号の説明】
【００５０】
１  ドアパネル
２  ドア枠
４  ストライカー
７  ケース
９  ラッチ
１０  操作具
１２  ドアパネル
２１  ガイド溝
２３  操作凹部
２６  第１ばね
２７  ラッチの受動面
３０  ラッチレバー
３１  第３ばね
３５  第１操作アーム
３６  第２操作アーム
４０  受穴
４１  カム片
４３  アシスト体
４４  第２ばね
４５  アシストレバー
４６  第４ばね
４９  アジスト体の受動面
５２  第１操作片
５３  第２操作片
【図１】
2005299299.tif 000003
【図２】
2005299299.tif 000004
【図３】
2005299299.tif 000005
【図４】
2005299299.tif 000006
【図５】
2005299299.tif 000007
【図６】
2005299299.tif 000008
【図７】
2005299299.tif 000009
【図８】
2005299299.tif 000010